(57)【要約】  可搬型記録媒体に対してデータの読み出しとデータの書き込みとのうち少なくともいずれか一方を実行する記憶装置であって、前記可搬型記録媒体の非記録面側を当接させる装着面を有する第一ローディングトレイと、前記第一ローディングトレイの装着面と平行な装着面であって、前記第一ローディングトレイに装着される可搬型記録媒体の記録面と同じ方向を向くように装着される可搬型記録媒体の記録面側を当接させる装着面を有する第二ローディングトレイと、前記記録面側に配置され、前記可搬型記録媒体が前記第一ローディングトレイと前記第二ローディングトレイのいずれに装着された場合であっても、該可搬型記録媒体の記録面に対してアクセスするアクセス部と、を備える。
2009016747.tif 000002
【特許請求の範囲】
【請求項１】
可搬型記録媒体に対してデータの読み出しとデータの書き込みとのうち少なくともいずれか一方を実行する記憶装置であって、
前記可搬型記録媒体の非記録面側を当接させる装着面を有する第一ローディングトレイと、
前記第一ローディングトレイの装着面と平行な装着面であって、前記第一ローディングトレイに装着される可搬型記録媒体の記録面と同じ方向を向くように装着される可搬型記録媒体の記録面側を当接させる装着面を有する第二ローディングトレイと、
前記記録面側に配置され、前記可搬型記録媒体が前記第一ローディングトレイと前記第二ローディングトレイのいずれに装着された場合であっても、該可搬型記録媒体の記録面に対してアクセスするアクセス部と、
を備える、記憶装置。
【請求項２】
前記第一ローディングトレイの動作を制御する第一ボタンと、
前記第二ローディングトレイの動作を制御する第二ボタンと、を更に備える請求項１に記載の記憶装置。
【請求項３】
前記第一ボタンと前記第二ボタンは、前記第一ローディングトレイと前記第二ローディングトレイの出入り口を有する該記憶装置の前面に形成され、
前記第一ボタンは、前記第一ローディングトレイの装着方向外寄りに配置され、
前記第二ボタンは、前記第二ローディングトレイの装着方向外寄りに配置される、請求項２に記載の記憶装置。
【請求項４】
前記可搬型記録媒体は光ディスクであり、
前記アクセス部は前記光ディスクの記録面に対してレーザ光を送出するピックアップ部である、請求項１に記載の記憶装置。
【請求項５】
請求項１〜４のいずれか１項に記載の記憶装置と、
前記可搬型記録媒体へのデータ書き込み、データ読み出しの少なくとも一方を実行するコマンドを前記記憶装置に発行する処理回路と、
を備える、電子機器。
【請求項６】
可搬型記録媒体に対してデータの読み出しとデータの書き込みとのうち少なくともいずれか一方を実行する記憶装置であって、
前記可搬型記録媒体を装着する装着面を有するローディングトレイと、
前記ローディングトレイが接続され該ローディングトレイを支持するローディングトレイ支持部と、
前記ローディングトレイ支持部と前記ローディングトレイとを着脱自在に接続する接続部であって、該ローディングトレイの装着面を反転した状態においても該ローディングトレイ支持部と該ローディングトレイとを接続可能な接続部と、
を備える記憶装置。
【請求項７】
前記可搬型記録媒体は光ディスクである、請求項６に記載の記憶装置。
【請求項８】
請求項６または７に記載の記憶装置と、
前記可搬型記録媒体へのデータ書き込み、データ読み出しの少なくとも一方を実行するコマンドを前記記憶装置に発行する処理回路と、
を備える、電子機器。
【発明の詳細な説明】
【技術分野】
【０００１】
本発明は、記憶装置及び電子機器の技術に関するものである。
【背景技術】
【０００２】
ＣＤ−ＲＯＭやＤＶＤ−ＲＯＭの記録や再生を行うドライブとして、光ディスクドライブが知られている。また、このような光ディスクドライブが組み込まれたパーソナルコンピュータといった情報処理装置や各種プレーヤも数多く普及している。従来の光ディスクドライブは、ローディングトレイ上に光ディスクを載置する、いわゆる水平置き型が主流であった。しかし、近年では、ローディングトレイを垂直にした状態で使用できる技術が数多く提案され、その結果いわゆる縦置き型や縦置き横置き兼用型の光ディスクドライブが数多く普及している。【０００３】
縦置き型の光ディスクドライブによれば、横置き型の光ディスクドライブに比べて、省スペース化を図ることができる。また、縦置き型とすることで、デザイン性の向上を図ることもできる。しかし、従来の縦置き型の光ディスクドライブは、垂直に配置されるローディングトレイの一側面に光ディスクを配置する構成である。従って、ユーザに対する光ディスクドライブの配置によっては、光ディスクが配置される一側面が目視できない状態で光ディスクをローディングトレイに装着しなければならなかった。すなわち、従来の光ディスクドライブは、使い勝手が悪いといった問題があった。【０００４】
そこで、このような問題を解決すべく、例えば特許文献１に記載の技術が知られている。特許文献１に記載の技術では、光ディスクドライブに、光ディスクの下方部を保持する第一ローダ部と、光ディスクの上方部を保持する第二ローダ部とが設けられ、夫々のローダには、断面がコ字状の光ディスク保持部が形成されている。特許文献１に記載の技術によれば、上下に設けられた棒状のローダによって光ディスクを保持することで、光ディスクドライブがユーザに対してどの位置に置かれても光ディスクを目視することができる。その結果、特許文献１に記載の技術によれば、光ディスクの装着や離脱を容易に行うことができる。
【特許文献１】特開２００６−１２３４０号公報
【発明の開示】
【発明が解決しようとする課題】
【０００５】
縦置き型の光ディスクドライブによれば、横置き型の光ディスクドライブに比べて、省スペース化を図ることができる。しかし、ローディングトレイを用いた従来の縦置き型の光ディスクドライブは、光ディスクを装着するローディングトレイの側面が予め決まっている。従って、従来の縦置き型の光ディスクドライブは、ユーザに対する光ディスクドライブの配置によって、装着する際に光ディスクが目視できないなど、使い勝手が悪いといった問題があった。【０００６】
このような問題を解決するため、上下に設けられた二つの棒状のローダによって光ディスクの上方部及び下方部を保持する光ディスクドライブに関する技術が提案されている。しかし、この技術は、棒状の二つのローダで光ディスクを保持するものである。その結果、光ディスクを保持する保持状態の安定性がローディングトレイを採用する光ディスクドライブよりも劣るといったことが懸念される。また、棒状の二つのローダは、共に一端のみが固定され、他端が開放されている構造であることから、平板状のローディングトレイを用いた光ディスクドライブに比べて強度が劣るといった問題があった。なお、上記のような問題は、可搬型記録媒体に対してデータの読み出しとデータの書き込みを実行する記憶装置全般について言えることである。【０００７】
本発明の目的は、ローディングトレイを有する記憶装置において、ユーザに対する記憶装置の配置に関わらず可搬型記録媒体の着脱操作を容易に行うことができる技術を提供することにある。
【課題を解決するための手段】
【０００８】
本発明は前記課題を解決するために、以下の手段を採用した。すなわち、本発明は、可搬型記録媒体に対してデータの読み出しとデータの書き込みとのうち少なくともいずれか一方を実行する記憶装置であって、前記可搬型記録媒体の非記録面側を当接させる装着面を有する第一ローディングトレイと、前記第一ローディングトレイの装着面と平行な装着面であって、前記第一ローディングトレイに装着される可搬型記録媒体の記録面と同じ方向を向くように装着される可搬型記録媒体の記録面側を当接させる装着面を有する第二ローディングトレイと、前記記録面側に配置され、前記可搬型記録媒体が前記第一ローディングトレイと前記第二ローディングトレイのいずれに装着された場合であっても、該可搬型記録媒体の記録面に対してアクセスするアクセス部と、を備える。【０００９】
本発明によれば、ユーザに対する記憶装置の配置状況によって、使用するローディングトレイを変更することができる。すなわち、ユーザは、二つのローディングトレイのうち、装着面が自らを向くローディングトレイを選択して使用することができる。従って、本発明によれば、ユーザに対する記憶装置の配置に関わらず、可搬型記録媒体の着脱を容易に行うことができる。【００１０】
なお、本発明の記憶装置は、第一ローディングトレイ及び第二ローディングトレイが垂直状態での使用が可能である。従って、本発明の記憶装置は、ローディングトレイが垂直状態となる、いわゆる縦置き型の装置として使用することができる。但し、本発明の記憶装置は、ローディングトレイが水平状態での使用も可能であり、いわゆる横置き型の装置として使用することもできる。【００１１】
本発明では、装着面が異なるローディングトレイ、換言すると可搬型記録媒体の着脱方向が異なる二つのローディングトレイが設けられている。従って、夫々のローディングトレイに対応するアクセス部を設けてもよい。しかし、夫々のローディングトレイにアクセス部を設けると、記憶装置の部品点数が多くなると共に装置自体が大型化することが懸念される。そこで、本発明では、夫々のローディングトレイに装着される可搬型記録媒体の記録面方向を統一することとした。これにより、一つのアクセス部により、二つのローディングトレイに配置される可搬型記録媒体からのデータを読み取ることが可能となる。【００１２】
ここで、本発明は、上記に加えて、前記第一ローディングトレイの動作を制御する第一ボタンと、前記第二ローディングトレイの動作を制御する第二ボタンと、を更に設けてもよい。本発明によれば、ローディングトレイ毎に対応するボタンを有することで、使用を希望するローディングトレイの開閉を容易に行うことができる。【００１３】
また、本発明において、前記第一ボタンと前記第二ボタンは、前記第一ローディングトレイと前記第二ローディングトレイの出入り口を有する該記憶装置の前面に形成され、前記第一ボタンは、前記第一ローディングトレイの装着方向外寄りに配置され、前記第二ボタンは、前記第二ローディングトレイの装着方向外寄りに配置されるようにしてもよい。これにより、本発明の記憶装置を縦置き型として使用した場合には、ユーザとローディングトレイとの間にいずれかのボタンが介在することになる。そして、ユーザは、自らに近い方のボタンを押すことで、最適なローディングトレイを選択することが可能となる。【００１４】
なお、上述した本発明において、前記可搬型記録媒体は光ディスクであり、前記アクセス部は前記光ディスクの記録面に対してレーザ光を送出するピックアップ部としてもよい。【００１５】
また、本発明は、上述した記憶装置を内蔵する電子機器とすることができる。すなわち、本発明は、上述した記憶装置と、前記可搬型記録媒体へのデータ書き込み、データ読み出しの少なくとも一方を実行するコマンドを前記記憶装置に発行する処理回路とを備える、電子機器である。電子機器には、いわゆるパーソナルコンピュータなどの情報処理装置や可搬型記録媒体を再生するプレーヤなどが含まれる。本発明によれば、上述した記憶装置を内蔵する電子機器についても、ユーザに対する配置に関わらず可搬型記録媒体の着脱操作を容易に行うことができる技術を提供することが可能となる。【００１６】
また、本発明は、可搬型記録媒体に対してデータの読み出しとデータの書き込みとのうち少なくともいずれか一方を実行する記憶装置であって、前記可搬型記録媒体を装着する装着面を有するローディングトレイと、前記ローディングトレイが接続され該ローディングトレイを支持するローディングトレイ支持部と、前記ローディングトレイ支持部と前記ローディングトレイとを着脱自在に接続する接続部であって、該ローディングトレイの装着面を反転した状態においても該ローディングトレイ支持部と該ローディングトレイとを接続可能な接続部と、を備えるようにしてもよい。【００１７】
本発明によれば、上記のような構成を備えることで、一つのローディングトレイを反転して使用することが可能となる。その結果、可搬型記録媒体の着脱操作を、ユーザに対する記憶装置の配置に関わらず容易に行うことができる。なお、上記発明において、前記可搬型記録媒体は、光ディスクとしてもよい。また、本発明は、上記記憶装置と、前記可搬型記録媒体へのデータ書き込み、データ読み出しの少なくとも一方を実行するコマンドを前記記憶装置に発行する処理回路とを備える電子機器としてもよい。
【発明の効果】
【００１８】
本発明によれば、ローディングトレイを有する記憶装置において、ユーザに対する記憶装置の配置に関わらず可搬型記録媒体の着脱操作を容易に行うことができる。
【図面の簡単な説明】
【００１９】
【図１】第一実施形態の電子機器の概略構成を示す。
【図２】第二ローディングトレイが非収納状態にある第一実施形態の電子機器を示す。
【図３】第二ローディングトレイに光ディスクが装着されている状態を示す。
【図４】第一ローディングトレイに光ディスクが装着されている状態を示す。
【図５】第二ローディングトレイの装着面を示す。
【図６】電子機器をユーザの右側に配置する場合の一例を示す。
【図７】図６に示す電子機器の上下を反転させた配置例を示す。
【図８】電子機器をユーザの左側に配置する場合の一例を示す。
【図９】横置き型として使用する場合の電子機器を示す。
【図１０】第二実施形態の電子機器の概略構成を示す。
【図１１】第二実施形態のローディングトレイの上面を示す。
【図１２】第二実施形態のローディングトレイの側面を示す。
【図１３】その他の形態のローディングトレイの上面を示す。
【図１４】その他の形態のローディングトレイの側面を示す。
【図１５】ローディングトレイの切換状況を示す。
【符号の説明】
【００２０】
１、１ａ・・・電子機器
２・・・第一ローディングトレイ
３・・・第二ローディングトレイ
４・・・筐体
５・・・第一ボタン
６・・・第二ボタン
７・・・光ディスク
８・・・クランパ
９・・・ターンテーブル
１０・・・スピンドルモータ
１１・・・ピックアップ部
１２・・・接着面
１３・・・収容部
１５・・・ローディングトレイ支持部
１６・・・接続部
１７・・・基端部
１００、１００ａ・・・ディスクドライブ
【発明を実施するための最良の形態】
【００２１】
以下、図面を参照して本発明の記憶装置について説明する。なお、本発明の記憶装置は、例えばパーソナルコンピュータやプレーヤといった電子機器に組み込むことで好適に用いることができる。そこで、以下に説明する実施形態では、光ディスクドライブ（本発明の記憶装置に相当する）を組み込んだ電子機器を例に説明するものとする。但し、以下の実施形態の構成は例示であり、本発明は実施形態の構成には限定されない。【００２２】
＜発明の骨子＞
本実施形態で説明する光ディスクドライブ（以下、ディスクドライブとする。）を内蔵する電子機器は、いわゆる縦置き型として使用される電子機器である。本実施形態の電子機器は、縦置き型として使用した場合において、ユーザの左右いずれに配置しても、ローディングトレイにおける光ディスク（本発明の可搬型記録媒体に相当する。）の装着面が常にユーザを向くことを特徴とする。第一実施形態の電子機器は、装着面の方向が異なる二つのローディングトレイを有することで、ローディングトレイにおける光ディスクの装着面が常にユーザを向くことを実現している。また、第二実施形態の電子機器は、ローディングトレイの向きを変更可能な構成とすることで、ローディングトレイにおける光ディスクの装着面が常にユーザを向くことを実現している。なお、光ディスクには、ＣＤ−ＲＯＭやＤＶＤ−ＲＯＭといった読み出し専用のメディアの他、ＣＤ−ＲＷやＤＶＤ−ＲＷのように書き換え可能なメディアも含まれる。また、光ディスクは、ＣＤ−ＲやＤＶＤ−Ｒといった一度だけ書き込み可能なメディアであってもよい。【００２３】
＜第一実施形態＞
（構成）
図１は、第一ローディングトレイ２と第二ローディングトレイが収納状態にある第一実施形態の電子機器１の概略構成を示す。図２は、第二ローディングトレイ３が非収納状態にある第一実施形態の電子機器１の概略構成を示す。図１、図２は、内蔵するディスクドライブ１００を何れも縦置き状態として使用する電子機器１を示す。【００２４】
本実施形態のディスクドライブ１００は、第一ローディングトレイ２と、第二ローディングトレイ３と、第一ローディングトレイ２の開閉を行う第一ボタン５と、第二ローディングトレイ３の開閉を行う第二ボタン６と、を備える。筐体４は、電子機器１の筐体であり、上記ディスクドライブ１００は電子機器１００に組み込まれている。なお、電子機器１としては、パーソナルコンピュータといった情報処理装置や、光ディスクを再生する各種プレーヤが例示される。【００２５】
筐体４は、ディスクドライブ１００の他、図示しないＣＰＵ（中央演算処理装置）やＨＤＤ（ハードディスクドライブ）といった電子機器に必要とされる各種装置を収容する。本実施形態の筐体４は、第一側面４１、第二側面４２、天面４３、底面４４、背面４５、前面４６からなる直方体によって形成されている。前面４６には、第一ローディングディスク２及び第二ローディングディスク３が出入りするための開口部２０（本発明の出入り口に相当する。）が形成されている。なお、夫々の面を形成する部材は、例えば合成樹脂（プラスチック）とすることができる。【００２６】
第一ローディングトレイ２及び第二ローディングトレイ３は、装着される光ディスク７を夫々保持する。第一ローディングトレイ２と第二ローディングトレイ３は、光ディスク７が装着される装着面１２の向きが異なることを特徴とする。つまり、第一ローディングトレイ２は、図１の紙面右側からの光ディスク７の装着が可能な装着面１２が設けられている。一方、第二ローディングトレイ３には、図１の紙面左側からの光ディスク７装着が可能な装着面１２が設けられている。【００２７】
ここで図３、図４は、図１におけるＡＡ断面を示す。図３は、第二ローディングトレイ３に光ディスク７が装着されている状態を示す。図４は、第一ローディングトレイ２に光ディスク７が装着されている状態を示す。電子機器１に内蔵されるディスクドライブ１００には、紙面左側に位置する第一ローディングトレイ２と、紙面右側に位置する第二ローディングトレイ３とが設けられている。また、ディスクドライブ１００には、クランパ８、ターンテーブル９、スピンドルモータ１０、ピックアップ部１１が設けられている。【００２８】
クランパ８は、光ディスク７の非記録面７ａ側（非鏡面側）を支持する。より具体的には、クランパ８は、光ディスク７が第一ローディングトレイ２又は第二ローディングトレイ３のいずれかに装着された際に、光ディスク７が装着されたローディングトレイの非記録面７ａ側を支持する。なお、装着されるローディングトレイによって、クランパ８と光ディスク７までの距離が変化する。従って、クランパ８は、装着された光ディスク７の非記録面７ａと直交する方向へ移動可能であることが好ましい。従って、筐体４の内部には、上述した構成に加えて、クランパ８を光ディスク７の非記録面７ａと直交する方向へ駆動させる駆動部を設けることが好ましい。【００２９】
ターンテーブル９は、光ディスク７の記録面７ｂ側（鏡面側）を支持すると共に光ディスク７を回転させる。つまり、光ディスク７は、上述したクランパ８とターンテーブル９によって挟みこむように保持される。そして、ターンテーブル９が回転することで、光ディスク７が回転する。【００３０】
スピンドルモータ１０は、ターンテーブル９が支持する光ディスク７に回転力を与える。すなわち、スピンドルモータ１０は、光ディスク７を回転させる駆動源として機能する。【００３１】
ピックアップ部１１は、光ディスク７に対してレーザ光を送出する。より具体的には、ピックアップ部１１は、光ディスク７の記録面７ｂにレーザ光を送出し、受光する。すなわち、ピックアップ部１１は、レーザ光源及び受光部として機能する。また、ピックアップ部１１は、第一ローディングトレイ２、第二ローディングトレイ３のいずれに対してもレーザ光の送出と受光を行う。つまり、本実施形態のピックアップ部１１は、第一ローディングトレイ２に装着された光ディスク７と第二ローディングトレイ３に装着された光ディスク７の双方に対して機能する。従って、ピックアップ部１１は、装着された光ディスク７の記録面７ｂと直交する方向へ移動可能であることが好ましい。従って、筐体４の内部には、上述した構成に加えてピックアップ部１１を光ディスク７の記録面７ｂと直交する方向へ駆動させるピックアップ駆動部を設けることが好ましい。上述したターンテーブル９についても同様の理由から、装着された光ディスク７の記録面７ｂと直交する方向へ移動可能であることが好ましく、駆動源を設けることが好ましい。なお、ピックアップ部１１とターンテーブル９は、一体的に移動できることが好ましい。このようにすることで、一つの駆動源によってターンテーブル９とピックアップ部１１とを一緒に移動させることができ、部品点数を少なくすることができるからである。【００３２】
第一ローディングトレイ２及び第二ローディングトレイ３は、装着される光ディスク７を夫々保持する。第一ローディングトレイ２及び第二ローディングトレイ３には、夫々一つの装着面１２が設けられている。従って、一つのローディングトレイには、一枚の光ディスク７が装着可能である。ここで、本実施形態のディスクドライブ１００は、第一ローディングトレイ２の装着面１２と第二ローディングトレイ３とが平行に配置され、更に装着面１２の向きが異なることを特徴とするものである。そして、第一ローディングトレイ２の装着面１２は、ピックアップ部１１側（紙面右側）を向くように形成され、第二ローディングトレイ３の装着面１２は、クランパ８側を向くように形成されている。これにより、本実施形態の電子機器１によれば、ユーザ２００の左右いずれに配置しても、光ディスク７の装着を容易に行うことが可能となる。また、平行に配置された夫々の装着面１２は、筐体４の側面（４１、４２）と平行に配置されており、本実施形態の電子機器１を縦置きとして使用した場合の省スペース化が実現されている。【００３３】
次に、第一ローディングトレイ２及び第二ローディングトレイ３について更に詳しく説明する。なお、第一ローディングトレイ２及び第二ローディングトレイ３は、基本的には同様の構成を有する。そこで、以下の説明では、第二ローディングトレイ３を例に説明する。【００３４】
図５は、第二ローディングトレイ３の装着面１２側を示す。装着面１２には、光ディスク７を収容可能な凹状の収容部１３が形成されている。収容部１３は、その外形が円形の光ディスク７よりもやや大きく形成されている。また、収容部１３の深さは、光ディスク７の厚さよりも深く形成されている。収容部１３の縁部には、光ディスク７の装着状態を維持するための爪部１４が三つ形成されている。爪部１４は、装着された光ディスク７の装着方向に対する動きを制限すべく、収容部１３の縁部に形成されている。また、爪部１４は、収容部１３の中心（換言すると光ディスク７の中心）に向けて突出するように形成されている。【００３５】
第一ローディングトレイ２及び第二ローディングトレイ３は、水平方向へのスライドが可能である。すなわち、第一ローディングトレイ２及び第二ローディングトレイ３は、筐体４の内部に収容された状態と筐体４の外部へ突出した光ディスク７を装着可能な状態とを有する。従って、第一ローディングトレイ２と第二ローディングトレイ３には、ローディングトレイをスライドさせるローディング部を設けることが好ましい。ローディング部の構成は、従来から種々の構成が知られている。例えば、ローディング部の構成とは、ばねの反発力を利用して筐体内部に収容されているローディングトレイを外部へ押し出す構成や、モータ等の駆動源と歯車等の伝達機構を設けることで押し出し及び収容を電気的に可能とする構成である。従って、本実施形態における第一ローディングトレイ２及び第二ローディングトレイ３には、このような従来から知られている種々のローディング部を適用することができる。【００３６】
なお、ローディングトレイの動作は、第一ボタン５又は第二ボタン６によって制御される。より具体的には、第一ボタン５は、第一ローディングトレイ２の開閉を行う（図１、図２参照）。すなわち、第一ボタン５が押されることで、第一ローディングトレイ２は、筐体４の内部に収容される状態と、筐体４の外部へ突出することで光ディスク７を装着可能な状態とに変化する。また、第二ボタン６は、第二ローディングトレイ３の開閉を行う。第二ボタン６が押されることで、第二ローディングトレイ３は、筐体４の内部に収容される状態と、筐体４の外部へ突出することで光ディスク７を装着可能な状態とに変化する。なお、本実施形態の電子機器１は、第一ボタン５が第一ローディングトレイ２の装着方向外寄り（紙面右側）に配置され、第二ボタン６が第二ローディングトレイ３の装着方向外寄り（紙面左側）に配置されていることを特徴とする。具体的には、図１に示すように、第一ボタン５は、第一ローディングトレイ２の装着方向外寄りであって、筐体４の前面４６の隅部寄りに配置されている。一方、第二ボタン６は、第二ローディングトレイ３の装着面１２の裏面方向外寄りであって、筐体４の前面４６の前記第一ボタン５の対角上に配置されている。これにより、電子機器１を縦置き型として使用した場合には、ユーザ２００が自らに近いボタンを押すことで、最適なローディングトレイが開閉される。【００３７】
（使用方法）
次に上述した第一実施形態の電子機器１の使用方法について説明する。本実施形態の電子機器１は、上述したように装着方向が異なる二つのローディングトレイ（第一ローディングトレイ２、第二ローディングトレイ３）を備えることを特徴とする。そして、第一ローディングトレイ２の開閉は、第一ボタン５で行うことができ、第二ローディングトレイ３の開閉は、第二ボタン６で行うことができる。【００３８】
ここで、図６は、電子機器１をユーザ２００の右側に配置する場合の一例を示す。同図では、電子機器１が縦置き型として使用されている。そして、第一ローディングトレイ２がユーザ２００側にくるように電子機器１がユーザ２００の右側に配置されている。この場合、ユーザ２００は、自らに近いボタンである第二ボタン６を押すことで、第二ローディングトレイ３の開閉を行うことができる。なお、図６に示す状態では、第二ローディングトレイ３の装着面１２は、ユーザ２００を向いている。従って、ユーザ２００は、自らに近い第二ボタンを操作することで開閉される第二ローディングトレイ３に対して、容易に光ディスクの着脱を行うことができる。【００３９】
また、上記のようにユーザ２００の右側に電子機器１を配置する場合において、第二ローディングトレイがユーザ２００側にくるようにしてもよい。図７は、図６に示す電子機器１の上下を反転させた配置例を示す。このように配置した場合には、ユーザ２００は、自らに近いボタンである第一ボタン５を押すことで、第一ローディングトレイ２の開閉を行うことができる。【００４０】
また、図８は、電子機器１をユーザ２００の左側に配置する場合の一例を示す。図８においても、電子機器１は、縦置き型として使用されている。この場合、ユーザ２００は、自らに近いボタンである第一ボタン５を押すことで、第一ローディングトレイ２の開閉を行うことができる。なお、図８に示す状態では、第一ローディングトレイ２の装着面１２は、ユーザ２００を向いている。従って、ユーザ２００は、自らに近い第一ボタンを操作することで開閉される第一ローディングトレイ２に対して、容易に光ディスクの着脱を行うことができる。なお、図７に示した場合と同じく、電子機器１をユーザ２００の左側に配置した場合においても、電子機器１の上下を反転させて配置してもよい。【００４１】
このように、第一実施形態の電子機器１は、ユーザ２００の左右いずれにも配置することができる。そして、左右いずれに配置しても、ユーザ２００は、自らに近いボタンを押すことで、装着面１２が自らを向くローディングトレイを使用することができる。【００４２】
また、本実施形態の電子機器１は、上記のように縦置き型として使用することで狭いスペースでも配置することが可能となる。但し、本実施形態の電子機器１は、横置き型として使用してもよい。ここで、図９は、横置き型として使用する場合の電子機器１を示す。同図に示すように、本実施形態の電子機器１を横置き型として使用してもよい。【００４３】
（効果）
以上説明した、第一実施形態の電子機器１によれば、装着面１２の向きが異なる、第一ローディングトレイ２と第二ローディングトレイ３とを有する光ディスク１００備えることで、電子機器１をユーザ２００の左右いずれに配置しても容易に光ディスクの着脱を行うことができる。また、本実施形態の電子機器１では、ピックアップ部１１等は、従来のディスクドライブと同じく一つである。従って、本実施形態の電子機器１は、少ない部品点数で、上記のような優れた効果を奏する。更に、本実施形態の電子機器１では、夫々のローディングトレイの動作を制御するボタン（第一ボタン５、第二ボタン６）が所定の位置に設けられている。その結果、電子機器１を縦置き型として使用した場合には、ユーザ２００は、自らに近いボタンを押すだけで装着面１２が自らを向くローディングトレイを使用することができる。【００４４】
＜第二実施形態＞
次に第二実施形態の電子機器１ａについて説明する。電子機器１ａには、ディスクドライブ１００ａが内蔵されている。そして、第二実施形態のディスクドライブ１００ａは、一つのローディングトレイ２ａを備える点で、上述した二つのローディングトレイを備える第一実施形態のディスクドライブ１００と異なる。図１０は、第二実施形態の電子機器１ａを示す。なお、本実施形態においても二つのボタン５ａが設けられている。但し、ローディングトレイ２ａは、一つであるためどちらのボタン５ａを押してもローディングトレイ２ａが開閉するように設計されている。第二実施形態の電子機器１ａでは、一つのローディングトレイ２ａの装着面の向きが変更可能であることを特徴とする。これにより、第二実施形態の電子機器１ａは、装着方向が異なる二つのローディングトレイを備える第一実施形態の電子機器１と同じく、ローディングトレイ２ａをユーザ２００の左右いずれに配置しても容易に光ディスクの着脱を行うことができる。【００４５】
ここで、図１１は、第二実施形態のローディングトレイ２ａの上面を示す。また、図１２は、第二実施形態のローディングトレイ２ａの側面を示す。第二実施形態のディスクドライブ１００ａは、ローディングトレイ２ａと、ローディングトレイ支持部１５と、接続部１６と、を備える。なお、第一実施形態と同様の構成については、同一の符号を付すことでその詳細な説明は省略する。【００４６】
ローディングトレイ２ａは、装着される光ディスク７を保持する。ローディングトレイ２ａには、第一実施形態の第一ローディングトレイ２と同じく、一つの装着面１２が形成されている。そして、装着面１２には、光ディスク７を収容可能な凹状の収容部１３が形成されている。また、収容部１３の縁部には、光ディスク７の装着状態を維持するための爪部１４が形成されている。なお、ローディングトレイ２ａには、その基端部１７にローディングトレイ２ａと接続するための凸部１６ａが形成されている。この凸部１６ａをローディングトレイ支持部１５に形成された凹部１６ｂに接続することで、ローディングトレイ２ａとローディングトレイ支持部１５との接続が可能となる。なお、凸部１６ａと凹部１６ｂが接続部１６を構成する。【００４７】
図１３は、その他の形態のローディングトレイの上面を示す。また、図１４は、その他の形態のローディングトレイの側面を示す。図１３、図１４に示すように、この形態では、ローディングトレイ２ａの基端部１７に接続辺１６ｃが形成され、接続辺１６ｃの側面には内側に突出する突起部１６ｃ１が形成されている。ローディングトレイ支持部１５には、上記接続片１６ｃと接続可能な被接続片１６ｄが形成され、被接続片１６ｄには、突起部１６ｃ１と接続可能な接続穴１６ｄ１が形成されている。このような接続部を有することで、より安定的な接続が可能となる。【００４８】
なお、第二実施形態のディスクドライブ１００ａにおいても、ピックアップ部１１等は、一つ配置すればよい。第二実施形態のディスクドライブ１００ａには、上述したローディングトレイ２ａ等の他、クランパ８、ターンテーブル９、スピンドルモータ１０、ピックアップ部１１が設けられている。【００４９】
（使用方法）
次に上述した第二実施形態の電子機器１ａの使用方法について説明する。本実施形態の電子機器１ａは、電子機器１ａのユーザ２００に対する配置によって、ローディングトレイ２ａの装着面１２を切り替えて使用する。ここで、図１５は、ローディングトレイ２ａの切換状況を示す。同図に示すように、まず、（１）ローディングトレイ２ａをローディングトレイ支持部１５から取り外す。そして、（２）ローディングトレイ２ａを反転し、再度ローディングトレイ２ａとローディングトレイ支持部１５とを接続する。以上により、ローディングトレイ２ａの装着面１２の向きを適宜切り替えることが可能となる。なお、本実施形態のディスクドライブ１００ａには、ピックアップ部１１が一つ設けられている。従って、ローディングトレイ２ａの装着面１２の向きを切り替えた場合であっても、光ディスク７の記録面７ｂは、ピックアップ部１１を向くように装着する必要がある。【００５０】
（効果）
以上説明した、第二実施形態の電子機器１ａによれば、装着面１２の向きを切り替え可能なローディングトレイ２ａを有するディスクドライブ１００ａを備えることで、電子機器１ａをユーザ２００の左右いずれに配置しても容易に光ディスク７の着脱を行うことができる。また、第二実施形態の電子機器１ａは、一つのローディングトレイ２ａによって構成されるため、第一実施形態の電子機器１よりも装置の小型化を図ることができる。
【図１】
2009016747.tif 000003
【図２】
2009016747.tif 000004
【図３】
2009016747.tif 000005
【図４】
2009016747.tif 000006
【図５】
2009016747.tif 000007
【図６】
2009016747.tif 000008
【図７】
2009016747.tif 000009
【図８】
2009016747.tif 000010
【図９】
2009016747.tif 000011
【図１０】
2009016747.tif 000012
【図１１】
2009016747.tif 000013
【図１２】
2009016747.tif 000014
【図１３】
2009016747.tif 000015
【図１４】
2009016747.tif 000016
【図１５】
2009016747.tif 000017
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
可搬型記録媒体に対してデータの読み出しとデータの書き込みとのうち少なくともいずれか一方を実行する記憶装置であって、
前記可搬型記録媒体の非記録面側を当接させる装着面を有する第一ローディングトレイと、
前記第一ローディングトレイの装着面と平行な装着面であって、前記第一ローディングトレイに装着される可搬型記録媒体の記録面と同じ方向を向くように装着される可搬型記録媒体の記録面側を当接させる装着面を有する第二ローディングトレイと、
前記記録面側に配置され、前記可搬型記録媒体が前記第一ローディングトレイと前記第二ローディングトレイのいずれに装着された場合であっても、該可搬型記録媒体の記録面に対してアクセスするアクセス部と、を備える記憶装置。
【請求項２】
前記第一ローディングトレイの動作を制御する第一ボタンと、
前記第二ローディングトレイの動作を制御する第二ボタンと、を更に備える請求項１に記載の記憶装置。
【請求項３】
請求項１又は２に記載の記憶装置と、
前記可搬型記録媒体へのデータ書き込み、データ読み出しの少なくとも一方を実行するコマンドを前記記憶装置に発行する処理回路と、を備える電子機器。
【請求項４】
可搬型記録媒体に対してデータの読み出しとデータの書き込みとのうち少なくともいずれか一方を実行する記憶装置であって、
前記可搬型記録媒体を装着する装着面を有するローディングトレイと、
前記ローディングトレイが接続され該ローディングトレイを支持するローディングトレイ支持部と、
前記ローディングトレイ支持部と前記ローディングトレイとを着脱自在に接続する接続部であって、該ローディングトレイの装着面を反転した状態においても該ローディングトレイ支持部と該ローディングトレイとを接続可能な接続部と、
を備える記憶装置。
【請求項５】
請求項４に記載の記憶装置と、
前記可搬型記録媒体へのデータ書き込み、データ読み出しの少なくとも一方を実行するコマンドを前記記憶装置に発行する処理回路と、を備える電子機器。
【国際調査報告】
2009016747.tif 000018
2009016747.tif 000019
2009016747.tif 000020
2009016747.tif 000021